(57)【要約】  本発明は、対応する相手方プラグコネクタへの機械的及び電気的接続のためのプラグコネクタ（１）であって、ハウジング（２）と、保護導体ブリッジ（３）と、プラグインサートとを備えており、保護導体ブリッジ（３）がハウジング（２）に保持されており、保護導体ブリッジ（３）が、プラグインサートへの接続のための少なくとも１つの接続領域（９）を有しており、プラグインサートが、少なくとも１つの接続領域（９）に保持されるプラグコネクタ（１）に関する。
2015509651.tif 000002
【特許請求の範囲】
【請求項１】
ハウジング（２）と、保護導体ブリッジ（３）と、プラグインサートとを備え、前記保護導体ブリッジ（３）が前記ハウジング（２）に保持されており、対応する相手方プラグコネクタへの機械的及び電気的接続のためのプラグコネクタ（１）であって、
前記保護導体ブリッジ（３）が、前記プラグインサートへの接続のための少なくとも１つの接続領域（９）を有しており、
前記プラグインサートが、前記少なくとも１つの接続領域（９）に保持される、
ことを特徴とするプラグコネクタ（１）。
【請求項２】
前記少なくとも１つの接続領域（９）が、前記プラグインサートへのねじによる接続を生み出すように構成されていることを特徴とする請求項１に記載のプラグコネクタ（１）。
【請求項３】
前記少なくとも１つの接続領域（９）が、貫通穴（１１、１２）を有していることを特徴とする請求項２に記載のプラグコネクタ（１）。
【請求項４】
前記貫通穴（１２）が、雌ねじを備えて構成されていることを特徴とする請求項３に記載のプラグコネクタ（１）。
【請求項５】
前記少なくとも１つの接続領域（９）が、金属板から作られていることを特徴とする請求項１〜４のいずれか一項に記載のプラグコネクタ（１）。
【請求項６】
前記少なくとも１つの接続領域（９）が、管状の本体（１０）によって構成されていることを特徴とする請求項１〜５のいずれか一項に記載のプラグコネクタ（１）。
【請求項７】
前記管状の本体（１０）が、向かい合う２つの貫通穴（１１、１２）を有しており、前記貫通穴の一方の貫通穴（１２）が、雌ねじを備えて構成されていることを特徴とする請求項６に記載のプラグコネクタ（１）。
【請求項８】
前記雌ねじを備えた前記貫通穴（１２）が、通路（１３）を備えて構成されていることを特徴とする請求項４、請求項４を引用する請求項５、請求項４を引用する請求項６、請求項４を引用する請求項５を引用する請求項６、又は請求項７に記載のプラグコネクタ（１）。
【請求項９】
前記保護導体ブリッジ（３）が、該ブリッジの軸方向における端部領域（８）に構成された２つの接続領域（９）を有していることを特徴とする請求項１〜８のいずれか一項に記載のプラグコネクタ（１）。
【請求項１０】
前記保護導体ブリッジ（３）が、細長いブリッジ本体（７）を有しており、且つ前記少なくとも１つの接続領域（９）が、前記ブリッジ本体（７）において側方へと形成されていることを特徴とする請求項１〜９のいずれか一項に記載のプラグコネクタ（１）。
【請求項１１】
前記少なくとも１つの接続領域（９）が、前記保護導体ブリッジ（３）を前記ハウジング（２）へと接続するための固定手段（１４）を有していることを特徴とする請求項１〜１０のいずれか一項に記載のプラグコネクタ（１）。
【請求項１２】
前記固定手段（１４）が、前記ハウジング（２）の対応する戻り止め手段（１６）との係止のための戻り止め手段として構成されていることを特徴とする請求項１１に記載のプラグコネクタ（１）。
【請求項１３】
前記ハウジング（２）が、向かい合う２つの側面（６）を備えるプラグ開口（５）を有しており、
保護導体ブリッジ（３）が、前記向かい合う２つの側面（６）の各々へと取り付けられ、前記プラグインサートが、両方の保護導体ブリッジ（３）に一緒に保持されることを特徴とする請求項１〜１２のいずれか一項に記載のプラグコネクタ（１）。
【請求項１４】
前記保護導体ブリッジ（３）が、金属板から一体的に作られていることを特徴とする請求項１〜１３のいずれか一項に記載のプラグコネクタ（１）。
【請求項１５】
前記ハウジング（２）が、プラスチックから作られていることを特徴とする請求項１〜１４のいずれか一項に記載のプラグコネクタ（３）。
【発明の詳細な説明】
【技術分野】
【０００１】
本発明は、対応する相手方プラグコネクタへの機械的及び電気的接続のためのプラグコネクタであって、ハウジングと、保護導体ブリッジと、プラグインサートとを備えており、保護導体ブリッジがハウジングに保持されているプラグコネクタに関する。
【背景技術】
【０００２】
この形式のプラグコネクタ及び相手方プラグコネクタは、先行技術において、２つの電気ケーブルの間又は電気ケーブルと装置若しくは設備との間に電気的及び機械的な接続を生み出すために使用されている。特に、大きな電流を伝えるために、ハウジングによって周囲の影響から保護される大きくて重たいプラグコネクタが必要である。そのようなハウジングは、通常は、アルミニウムで構成され、且つケーブルグランドを受けるためのねじ山が設けられる。ここで考慮されるプラグコネクタは、複数の電気ケーブルを接続するように構成され、それらの電気ケーブルのうちの１つが、保護導体（ＰＥコンタクト）である。中性線と組み合わせられ、保護導体はまた、ＰＥＮコンタクトとして構成されてもよい。保護導体は、対応する保護導体の機能を可能にし、且つプラグコネクタ及び相手方プラグコネクタの保護導体を互いに接触させるために、保護導体ブリッジへと接続される。他のケーブルは、プラグインサートの電気接点へと接続される。
【０００３】
プラグコネクタ及び相手方プラグコネクタの主要な構成は、実質的に同一であってよく、且つ電気的な接続を生み出すためのこれらのコネクタの電気接点の実施形態においてのみ相違することができる。したがって、プラグコネクタについての実施形態が、相手方プラグコネクタについても相応に当てはまる。
【０００４】
プラグコネクタ及び相手方プラグコネクタは、プラグコネクタと相手方プラグコネクタとの間に電気的な接続を生み出すためのプラグ／ソケットの原理に従って対応して構成される。プラグコネクタ及び相手方プラグコネクタの電気接点は各々、接点ピン又は接点ピンレセプタクルとして対応して構成され得る。プラグコネクタ及び相手方プラグコネクタの導体の確実な電気的接続のために、プラグインサートは、ハウジングに固定して配置される。
【０００５】
上述のプラグコネクタの欠点は、保護導体ブリッジ及びプラグインサートの取り付けが複雑であり、且つプラグインサート及び保護導体ブリッジの両方を取り付けるために、組み立ての空間をハウジング内に残しておかなければならない点にある。したがって、プラグコネクタを、相応に大きくなるように構成する必要がある。さらに、そのようなプラグコネクタは、多くの場合に重くなり、その取り扱い性を損なう。
【発明の概要】
【発明が解決しようとする課題】
【０００６】
したがって、上述の先行技術から生じて、本発明の目的は、上述の形式のプラグコネクタであって、容易且つ費用効果に優れた様相で作られ得、且つ容易に取り扱われ得、且つプラグコネクタ及び相手方プラグコネクタの確実な機械的及び電気的接続を可能にするプラグコネクタを特定することにある。
【課題を解決するための手段】
【０００７】
この目的が、本発明によれば、独立請求項の特徴によって達成される。本発明の有利な実施形態が、従属請求項に記載される。
【０００８】
したがって、本発明によれば、対応する相手方プラグコネクタへの機械的及び電気的接続のためのプラグコネクタであって、ハウジングと、保護導体ブリッジと、プラグインサートとを備え、保護導体ブリッジがハウジングに保持されており、保護導体ブリッジが、プラグインサートへの接続のための少なくとも１つの接続領域を有しており、プラグインサートが、少なくとも１つの接続領域に保持されるプラグコネクタが特定される。
【０００９】
したがって、本発明の基本的な考え方は、保護導体ブリッジをハウジング内に直接取り付け、プラグインサートをハウジング内において保護導体ブリッジに直接取り付けることによって、プラグコネクタの取り付けを単純化することにある。例として、保護導体ブリッジが、最初にハウジングへと単独で取り付けられ、且つプラグインサートが、すでに取り付けられた保護導体ブリッジへとさらなる取り付け工程において取り付けられる。このようにして形成されるプラグコネクタは、容易に取り付けられ得、取り付けのための空間をあまり必要としない。したがって、プラグコネクタの重量も小さくなる。プラグインサートの取り付けは、本質的に、ハウジングへのプラグインサート及び保護導体ブリッジの導入の順序とは無関係である。好ましい実施形態においては、プラグコネクタが、最初にプラグインサートが保護導体ブリッジに取り付けられ、且つ次いでそのようにして形成されたユニットがハウジング内に全体として取り付けられ得るような方法で構成される。保護導体ブリッジ及びプラグインサートの接点が、例えば接続されるべきケーブルの個々の導体など、個々の導体へと接続され、ここで保護導体ブリッジは、ＰＥ導体とも称される保護導体へと接続される。さらなる導体が、プラグインサートの電気接点へと接続される。プラグインサートは、接点ピン若しくは接点ピンのための対応するレセプタクル、又は任意の他の対応する接点への相手方プラグコネクタの接触のために構成され得る。したがって、プラグコネクタ及び相手方プラグコネクタは、プラグインサート又は保護導体ブリッジに係る本発明により、取り付けのための区別を必要とすることなく、例えばプラグ／ソケットの原理に従って雄又は雌のいずれかのプラグとして構成され得る。保護導体はまた、一体化された中性線を有するＰＥＮコンタクトとして構成され得る。プラグコネクタについての実施形態は、相手方プラグコネクタについても相応に当てはまる。保護導体ブリッジは、このブリッジが電気導体として構成され、したがって通常は金属から作られるため、プラグインサートの確実な取り付けに適する。したがって、保護導体ブリッジは、高い安定性を有し、より堅固で且つより確実なプラグコネクタが作られる。
【００１０】
本発明の有利な実施形態においては、少なくとも１つの接続領域がプラグインサートへのねじによる接続を生み出すように構成されるような方法で、プラグコネクタが構成される。ねじによる接続は、保護導体ブリッジへのプラグインサートの安定且つ確実な取り付けを可能にする。ねじによる接続を生み出すために、例えば接続領域がプラグインサートへのねじ留めのために雄ねじを備えるボルトを有してもよいなど、接続領域の種々の実施形態が可能である。ねじは、接続領域に保持され得る。これに代え、又はこれに加えて、接続領域を、プラグインサートを保護導体ブリッジへと係止できるように、プラグインサートへの戻り止めの接続を生み出すように構成することも可能である。
【００１１】
本発明のさらなる有利な実施形態においては、少なくとも１つの接続領域が貫通穴を有するような方法で、プラグコネクタが形成される。貫通穴は、プラグインサート及び保護導体ブリッジがねじによる接続が生み出されることによって互いに固定され得るよう、接続ねじ又はスタッドボルトの通過を可能にする。
【００１２】
本発明のさらなる有利な実施形態においては、貫通穴が雌ねじによって構成されるような方法で、プラグコネクタが形成される。対応する雄ねじを有する少なくとも１つのねじの使用だけで、プラグインサートが保護導体ブリッジへと容易に取り付けられ得るように、雌ねじは、ねじの直接的なねじ込みを可能にする。
【００１３】
本発明のさらなる有利な実施形態においては、プラグコネクタが、少なくとも１つの接続領域が金属板から作られるような方法で形成される。金属板は、高い安定性を有するため、プラグインサートが、保護導体ブリッジ及びしたがってハウジングに確実に保持される。
【００１４】
本発明の好ましい実施形態によれば、少なくとも１つの接続領域が管状の本体によって構成されるような方法で、プラグコネクタが構成される。管状の本体は、プラグインサートの取り付けのための高い強度を有する。例えば、固定は、管状の本体の外壁又は全体としての管状の本体において実行され得る。接続領域が金属板から作られる場合、管状の実施形態は、例えば金属板の単純な曲げ又は折り曲げによって形成され得る。管状の本体は、好ましくは、実質的に矩形の断面によって構成される。接続領域は、より好ましくは、中空体として構成される。
【００１５】
本発明のさらなる有利な実施形態においては、管状の本体が向かい合う２つの貫通穴を有し、且つ一方の貫通穴が雌ねじによって構成されるような方法で、プラグコネクタが構成される。向かい合う２つの貫通穴は、プラグインサートを接続領域へと取り付けるために、固定手段の通過を可能にする。プラグインサートの固定用のねじが、雌ねじによって使用され得る一方で、第２の貫通穴のねじ山は、単に案内として役に立つ。貫通穴の間の中空空間が、プラグインサートが確実且つ長持ちする方法で保護導体ブリッジへとねじ留めされるように、ばね効果を生じさせる。
【００１６】
本発明のさらなる実施形態においては、雌ねじを備える貫通穴が通路によって構成されるような方法で、プラグコネクタが構成される。通路は、貫通穴だけの場合と比べて、より長いねじ山の長さ及びより多数のねじ山の巻きを備えるねじ山領域をもたらすことを可能にする。特に接続領域が金属板から作られる場合に、通常、ねじ山長の短さは金属製板の厚みによって生み出され、通路によって長くすることができる。例えば、貫通穴形成に係る方法によって金属板から作られる接続領域において、通路は、金属板から容易に作られ得る。あるいは、通路は、別途の構成部品として、例えば溶接、はんだ付け、又は他の接続方法によって金属板へと固定され得る。
【００１７】
本発明のさらなる有利な実施形態においては、保護導体ブリッジがこのブリッジの軸方向における端部領域に形成される２つの接続領域を有するような方法で、プラグコネクタが構成される。２つの接続領域ゆえに、保護導体ブリッジへのプラグインサートの確実且つ長持ちする固定が得られる。同時に、このブリッジが変形する恐れがないように、保護導体ブリッジが、接続領域を介してプラグインサートによって引き張られ得る。端部領域の接続領域は、好ましくは、保護導体ブリッジの長手軸に形成される。
【００１８】
本発明の好ましい実施形態によれば、保護導体ブリッジが細長いブリッジ本体を有し、且つ少なくとも１つの接続領域がブリッジ本体において側方に形成されるような方法で、プラグコネクタが形成される。ブリッジ本体への接続領域の側方への取り付けゆえに、保護導体ブリッジが、例えばハウジングの壁に沿って取り付けられ得、且つ接続領域が、保護導体ブリッジからハウジングの内部へと突き出すことができる。したがって、プラグインサートが、保護導体ブリッジへと容易に取り付けられ得る。保護導体ブリッジ及び接続領域は、特に好ましくは、互いに実質的に直角に配置される。したがって、ブリッジ本体が、相手方プラグコネクタの挿入の方向に最小の厚さを有することができる一方で、接続領域が、プラグインサートを接続領域へと容易且つ確実に取り付けることができるようにするために、ブリッジ本体に対して垂直にハウジング内へと突き出す。保護導体ブリッジが例えば金属などの弾性材料から作られる場合、ブリッジ本体が接続領域へと弾性的に接続され、したがって公差が容易に埋め合わせされ得るため、プラグコネクタの取り付けが容易にされる。特に保護導体ブリッジ及びプラグインサートで形成されたあらかじめ組み立てられたユニットがハウジングへと導入される場合、接続領域に対するブリッジ本体の可動性が、挿入を容易にする。ハウジングへのこのユニットの挿入時の傾きが、防止又は埋め合わせされ得る。
【００１９】
本発明の好ましい実施形態によれば、少なくとも１つの接続領域が保護導体ブリッジをハウジングへと接続するための固定手段を有するような方法で、プラグコネクタが構成される。このようにして、すべての固定が接続領域を介して実行され得、これがより小さな寸法でのハウジングの構築を可能にする。固定手段は、任意に形成され得、例えば接続領域にハウジングへの保護導体ブリッジのねじ留めのための雌ねじを持ち、又は持たない貫通穴の形態で形成され得る。貫通穴は、好ましくは、保護導体ブリッジへのプラグインサート及びハウジングの同時の接続のための接続領域に形成される。固定手段は、より好ましくは、保護導体ブリッジとハウジングとの間の押し込み（ｆｏｒｃｅ−ｌｏｃｋｅｄ）又は嵌り合い（ｆｏｒｍ−ｌｏｃｋｅｄ）による接続を生み出すように構成される。例として、少なくとも１つの接続領域が、ハウジングへの摩擦接続を生み出すために、ばねラグを有することができる。
【００２０】
本発明のさらなる有利な実施形態においては、固定手段がハウジングの対応する戻り止め手段に係止するために戻り止め手段として構成されるような方法で、プラグコネクタが構成される。戻り止め手段は、ハウジングへの保護導体ブリッジの簡単な固定を可能にする。保護導体ブリッジをハウジングから取り外すために、係止による接続を、容易に再び解除することができる。戻り止め手段は、例えば戻り止めラグ又は差込み具として形成され得る。戻り止めタブが、接続領域に特に好ましく形成される。ハウジングが、好ましくは、戻り止めラグを備える案内溝を有し、この案内溝へと、戻り止め差込み具が導入及び係止され得る。
【００２１】
本発明のさらなる好ましい実施形態においては、ハウジングが向かい合う２つの側面を備えるプラグ開口を有し、且つ保護導体ブリッジが、向かい合う２つの側面の各々に取り付けられ、プラグインサートが、両方の保護導体ブリッジに一緒に保持されるような方法で、プラグコネクタが構成される。プラグコネクタのこの実施形態は、支持が２つの保護導体ブリッジによってハウジングの両側面においてもたらされるため、大きなプラグインサートであってもハウジングに確実に保持することを可能にする。プラグインサートと保護導体ブリッジとで形成されるユニットのハウジング内への取り付けも、このユニットが両側面の間に容易に導入され得るため促進される。ハウジングの円すい形の実施形態、及び／又は保護導体ブリッジの対応する曲げにおいては、このユニットが、自動的な中心合わせの様相でハウジングへと導入され得る。保護導体の接点が、それぞれの保護導体ブリッジによって向かい合う２つの側面に設けられ、且つプラグコネクタに高い安全性を保証する。また、プラグコネクタは、回転対称であり、すなわち相手方プラグコネクタへと相手方プラグコネクタの挿入の方向の軸を中心とする１８０°の回転において同一に接続され得るような方法にて具現化され得る。
【００２２】
本発明の好ましい実施形態によれば、プラグコネクタが、保護導体ブリッジが金属板から一体的に作られるような方法で構成される。金属板で作られる実施形態は、少ない材料の消費での保護導体ブリッジの製造を可能にし、金属板は、少なくとも１つの接続領域を形成するために、例えば曲げ又は折り曲げなどによって容易に成形される。
【００２３】
本発明の好ましい実施形態においては、プラグコネクタが、ハウジングがプラスチックから作られるような方法で構成される。金属製のハウジングと比べて、プラスチックで作られたハウジングは、より軽量に作られ得るため、プラグコネクタが容易に取り扱われ得る。さらに、プラスチックが電気絶縁を生み出し、そのことがプラグコネクタの使用を容易にし、安全性を向上させる。
【００２４】
本発明が、好ましい実施形態にもとづいて、添付の図面を参照して、以下でさらに詳しく説明される。
【図面の簡単な説明】
【００２５】
【図１】第１の実施形態による本発明によるプラグコネクタについて、そのプラグ開口の側からの斜視図を示しており、取り付けられるプラグインサートは省略されている。
【図２】図１からのプラグコネクタの保護導体ブリッジを単独で示す斜視図を示している。
【図３】ハウジングへの保護導体ブリッジの取り付けを示している図１から見た図の詳細を示す。
【図４】本発明の第２の実施形態による保護導体ブリッジを単独で示す斜視図を示している。
【発明を実施するための形態】
【００２６】
図１が、本発明の第１の実施形態による本発明によるプラグコネクタ１を示している。プラグコネクタ１は、ハウジング２、図１においては、２つの保護導体ブリッジ３のうちの１つだけを見て取ることができる２つの保護導体ブリッジ３、及びプラグインサート（ここでは図示されていない）とを備える。取り付けられた状態において、保護導体ブリッジ３及びプラグインサートが、ハウジング２内に固定され、例えばプラグインサートの電気接点が、ハウジング２から突き出すことができる。
【００２７】
ハウジング２は、射出成形によってプラスチックから作られ、且つ一体的に成形されたケーブルグランド４によって構成される。ケーブルグランド４は、複数の導体を有するケーブルをハウジング２内へと通すために使用される。導体のうちの１つは、保護導体ブリッジ３へと接続される保護導体であり、ＰＥ導体とも称される。他の導体は、プラグインサートの電気接点へと接続される。プラグインサートは、接点ピン又は対応する接点ピン用のソケットを有している対応する相手方プラグコネクタ（ここでは図示されていない）に接触するように構成される。
【００２８】
ハウジング２が、プラグ開口５を有しており、プラグ開口５を介して、プラグコネクタ１が、対応する相手方プラグコネクタへと電気的及び機械的に接続され得る。プラグ開口５は、直角に形成され、プラグ開口５の向かい合う２つの側面６、ここでは、縦長の側面が、互いに平行に配置されている。保護導体ブリッジ３は、ハウジング２の縦長の側面６に沿って取り付けられる。
【００２９】
図２が、一方の保護導体ブリッジ３を詳しく示している。両方の保護導体ブリッジ３が、図２に示した保護導体ブリッジ３と同一である。
【００３０】
図２の保護導体ブリッジ３は、金属板から一体的に作られ、細長いブリッジ本体７を備えており、ブリッジ本体７の軸方向における端部領域８の各々に、接続領域９が形成されている。接続領域９は、ブリッジ本体７の同じ側において、側方へと配置されている。
【００３１】
接続領域９は、この典型的な実施形態においては、矩形の断面を有する管状の本体１０によって形成されている。接続領域９の管状の本体１０は、いずれの場合も、保護導体ブリッジ３の金属板を接続領域９の領域において曲げることによって形成される。
【００３２】
管状の本体１０は、図３に詳しく示されるように、向かい合う２つの貫通穴１１、１２を有している。図３において上側に示されている貫通穴１１が、雌ねじを持たない貫通穴として形成される一方で、図３において下側に示されている貫通穴１２は、通路１３を備えて形成されており、下側の貫通穴１２及び通路１３は、雌ねじを有している。プラグインサートは、４本のねじ（図示されていない）によって保護導体ブリッジ３の接続領域９に取り付けされ得、ねじは、上側の貫通穴１１を通って導かれ、通路１３を有している下側の貫通穴１２へとねじ込まれる。
【００３３】
さらに、戻り止めタブ１４が、接続領域９の各々に形成され、図３に詳しく示されるように、保護導体ブリッジ３を、保護導体ブリッジ３の軸方向における端部領域８において、ハウジングの戻り止め突起１６の背後の案内溝１５内に係止させるために使用される。したがって、保護導体ブリッジ３は、プラグ開口５を通るハウジング２内に、単独で、又はプラグインサートと一緒のユニットとして導入され、そして戻り止め接続の発生によって取り付けられる。
【００３４】
図４が、本発明の第２の実施形態による保護導体ブリッジ３を示している。第１の実施形態に関連して後述されるハウジング２において第１の実施形態の保護導体ブリッジ３の代わりに使用され得るように、第２の実施形態の保護導体ブリッジ３は、第１の実施形態の保護導体ブリッジ３に実質的に一致する。分かりやすくするために、同等の構成要素は、同じ参照符号によって指し示されている。第２の実施形態の保護導体ブリッジ３は、第１の実施形態の保護導体ブリッジ３に実質的に一致するため、ここでは相違点だけが説明される。
【００３５】
第２の実施形態の保護導体ブリッジ３は、その接続領域９の構成に関して、第１の実施形態の保護導体ブリッジ３とは相違する。第２の実施形態の保護導体ブリッジ３の接続領域９の各々は、底領域１７を有している。接続領域９の金属板が、すでに説明した戻り止めタブ１４及び側壁１８を形成するために、底領域１７の縁において上方へと曲げられている。さらに、すでに説明したとおりの通路１３を備える貫通穴１２が、底領域１７に形成され、且つ対応する雌ねじを有している。
【００３６】
第１及び第２の実施形態の保護導体ブリッジ３の間に、さらなる相違点は存在しない。
【符号の説明】
【００３７】
プラグコネクタ  １
ハウジング  ２
保護導体ブリッジ  ３
ケーブルグランド  ４
プラグ開口  ５
向かい合う側面、縦長の側面  ６
ブリッジ本体  ７
端部領域  ８
接続領域  ９
管状の本体  １０
上側の貫通穴  １１
下側の貫通穴  １２
通路  １３
戻り止めタブ、固定手段  １４
案内溝  １５
戻り止めラグ、戻り止め手段  １６
底領域  １７
側壁  １８
【図１】
2015509651.tif 000003
【図２】
2015509651.tif 000004
【図３】
2015509651.tif 000005
【図４】
2015509651.tif 000006
【国際調査報告】
2015509651.tif 000007
2015509651.tif 000008
2015509651.tif 000009
2015509651.tif 000010